(57)【要約】【課題】小型軽量にして所望の設置場所に設置でき、常時と非常時の区別が明確で、かつ総合的に避難誘導を可能にした避難方向誘導システムを提供。【解決手段】  避難方向誘導システム１は、一定の警戒区域を監視し当該警戒区域の非常時には避難指令信号を送出できる指令送出ユニット３ａ，３ｂを所定の警戒区域ＡＲａ，ＡＲｂ毎に設け、かつ、前記指令送出ユニット３ａ，３ｂからの避難指令信号を受信すると避難方向を表示する避難誘導ユニット５ａ，５ｂ，５ｃ，…，５ｎを有効に避難できる位置毎に設けたものである。【選択図】  図１
2018101178.tif 000002
【特許請求の範囲】
【請求項１】
一定の警戒区域を監視し当該警戒区域の非常時には避難指令信号を送出できる指令送出ユニットを所定の警戒区域毎に設け、かつ、前記指令送出ユニットからの避難指令信号を受信すると避難方向を表示する避難誘導ユニットを有効に避難できる位置毎に設けた避難方向誘導システムであって、
前記指令送出ユニットは、少なくとも一つの避難誘導ユニットが受信可能な強度の避難指令信号を発する送信手段を備えており、
前記避難誘導ユニットは、
避難方向を示す形状に形成された無機ＥＬ発光体やその他同種の平面発光体と、
前記指令送出ユニットからの避難指令信号を受信する受信手段と、
前記受信手段で受信した避難指令信号に応じた点灯パターンで無機ＥＬ発光体や同種の平面発光体を点灯制御する点灯駆動制御手段と、
前記受信手段で受信した避難指令信号を再送出できる送信手段とを備えたものからなることを特徴とする避難方向誘導システム。
【請求項２】
一定の警戒区域を監視し当該警戒区域の非常時には避難指令信号を送出できる指令送出ユニットを所定の警戒区域毎に設け、かつ、前記指令送出ユニットからの避難指令信号を受信すると避難方向を表示する避難誘導ユニットを有効に避難できる位置毎に設けた避難方向誘導システムであって、
前記指令送出ユニットは全ての避難誘導ユニットが受け取り可能な強度の避難指令信号を発する送信手段を備えており、
前記各避難誘導ユニットは、
前記避難指令信号を受信する受信手段と、
前記受信手段で受信した避難指令信号に応じた発光パターンで前記無機ＥＬ発光体やその他同種の平面発光体を点灯制御する発光体駆動手段とを備えたものであることを特徴とする避難方向誘導システム。
【請求項３】
前記指令送出ユニットは、火災検出センサーと振動検出センサーを備えたものであることを特徴とする請求項１又は２記載の避難方向誘導システム。
【請求項４】
一定の警戒区域を監視できるとともに避難方向を表示できる避難誘導ユニットを一定の警戒区域毎でかつ避難誘導に適した位置毎に設け各避難誘導ユニットが通信回線で接続された避難方向誘導システムであって、
前記各避難誘導ユニットは、
避難方向を示す形状に形成され無機ＥＬ発光体その他同種の平面発光体を制御して避難誘導を可能にした平面発光体と、
火災・地震のいずれか又は双方を検出できるセンサーと、
上記センサーからの検出信号があったときに当該検出信号に基づいた点灯パターンでもって前記無機ＥＬ発光体その他同種の平面発光体を点灯し、又は、他の避難誘導ユニットからの避難指令信号を受信したときには当該避難指令信号の内容に応じた点灯パターンでもって前記平面発光体を点灯する発光体駆動手段と、
上記センサーからの検出信号があったときに避難指令信号を送出し、又は、他の避難誘導ユニットからの避難指令信号を受信手段で受信したときには当該受信した避難指令信号を再送出できる送受信手段とを備えたものであることを特徴とする避難方向誘導システム。
【発明の詳細な説明】
【技術分野】
【０００１】
本発明は、避難方向表示可能な無機ＥＬ発光体や同種の平面発光体を用いた避難誘導ユニットを避難誘導すべき所定個所に設置し、火災や地震等の非常事態が検出されたときに前記無機ＥＬ発光体や同種の平面発光体を点灯制御して避難誘導を可能にした平面発光体（以下、「当該発光体」と称する。）を用いた避難方向誘導システムに関する。
【背景技術】
【０００２】
従来、建物内において、火事等の非常時の場合の避難誘導は、所定の個所に設けた誘導灯を目印に行うものであった。そのため、非常時の場合、避難する者は、誘導灯を目印に自ら避難方向を判断して避難を行っていた。
【０００３】
前記誘導灯は、消防法令の規定に基づいて、避難に使用される通路や階段の入口上部あるいは避難に使用される通路床面等の必要な個所に設けられていている。前記誘導灯は、常時点灯していて、停電時にはバッテリー等の非常電源から電力の供給を受けて停電時から一定時間にわたって点灯できるようになっている。
【０００４】
従来の避難誘導に使用されている第１の装置（誘導灯）は、従来、蛍光灯を光源としていたが、これに代えて冷陰極蛍光ランプを用いることにより、停電時の電力の省電力化を図っているものが提供されている（特許文献１）。この特許文献１の装置は、その機能を点検するため、外部からアドレス付の点検信号を受信すると、当該機器の状態を返信できるように構成されている。
【０００５】
また、避難誘導に使用される第２の装置としては、火災感知器からの火災検知信号が入力されたときに、避難方向を示す光源を点灯するようにしたものが提供されている（特許文献２）。なお、この装置は、ＬＥＤを光源とし、前記ＬＥＤを矢印形状に配置して避難方向を表示している。
【０００６】
さらに、避難誘導に使用される第３の装置としては、表示部、照明ユニット、無線制御手段等々を備え、無線により与えられる表示データを表示部に表示できるようにし、避難が必要なときに無線で避難指示情報を与えることにより前記表示部に避難指示を表示し、避難誘導を行えるようにしたものが提供されている（特許文献３）。
【先行技術文献】
【特許文献】
【０００７】
【特許文献１】特開２００６−１６４９３２号公報
【特許文献２】特開２０１１−１１３１１５号公報
【特許文献３】特開２０１５−００４９２１号公報
【発明の概要】
【発明が解決しようとする課題】
【０００８】
上記従来の第１の装置によれば、冷陰極蛍光ランプを用いて、確かに省電力化を図っているものの、常時非常時とも避難方向等を単に点灯して示すのみであって、非常時か否かが明確に区別できず、したがって適切で効果的な避難誘導を行わせることができないという欠点があった。
【０００９】
また、上記従来の第２の装置によれば、通常は単なる壁面等と同じ模様等に見え、火災感知器が火災を検知したときにのみ避難方向が表示されるようにしたもので、火災等の非常時のみ避難誘導でき通常時と非常時の区別が明確である利点があるものの、取付場所が限定されてしまうという欠点があった。
【００１０】
さらに、上記従来の第３の装置によれば、非常時に無線で避難方向等を指示できる利点はあるものの、通常は表示部を看板として使用していて、非常時に避難方向等を表示できる利点があるものの、通常は看板として使用する必要から表示部が大型化し、設置場所等がやはり限定されてしまうという欠点があった。
【００１１】
本発明は、このような従来装置が有していた問題を解決しようとするものであり、小型軽量にして所望の設置場所に設置でき、常時と非常時の区別が明確で、かつ総合的に避難誘導を可能にした避難方向誘導システムを提供することを目的とするものである。
【課題を解決するための手段】
【００１２】
上記目的を達成するために、請求項１記載の発明に係る避難方向誘導システムは、一定の警戒区域を監視し当該警戒区域の非常時には避難指令信号を送出できる指令送出ユニットを所定の警戒区域毎に設け、かつ、前記指令送出ユニットからの避難指令信号を受信すると避難方向を表示する避難誘導ユニットを有効に避難できる位置毎に設けた避難方向誘導システムであって、
前記指令送出ユニットは、少なくとも一つの避難誘導ユニットが受信可能な強度の避難指令信号を発する送信手段を備えており、
前記避難誘導ユニットは、
避難方向を示す形状に形成された当該発光体と、
前記指令送出ユニットからの避難指令信号を受信する受信手段と、
前記受信手段で受信した避難指令信号に応じた点灯パターンで前記当該発光体を点灯する点灯駆動制御手段と、
前記受信手段で受信した避難指令信号を再送出できる送信手段とを備えたもの
からなることを特徴とするものである。
【００１３】
上記目的を達成するため、請求項２記載の発明に係る避難方向誘導システムは、一定の警戒区域を監視し当該警戒区域の非常時には避難指令信号を送出できる指令送出ユニットを所定の警戒区域毎に設け、かつ、前記指令送出ユニットからの避難指令信号を受信すると避難方向を表示する避難誘導ユニットを有効に避難できる位置毎に設けた避難方向誘導システムであって、
前記指令送出ユニットは全ての避難誘導ユニットが受け取り可能な強度の避難指令信号を発する送信手段を備えており、
前記各避難誘導ユニットは、
前記避難指令信号を受信する受信手段と、
前記受信手段で受信した避難指令信号に応じた発光パターンで前記当該発光体を点灯制御する発光体駆動手段とを備えたものであることを特徴とするものである。
【００１４】
請求項３記載の発明は、請求項１又は２記載の避難方向誘導システムにおいて、前記指令送出ユニットは、火災検出センサーと振動検出センサーを備えたものであることを特徴とするものである。
【００１５】
上記目的を達成するため、請求項４記載の発明に係る避難方向誘導システムは、一定の警戒区域を監視できるとともに避難方向を表示できる避難誘導ユニットを一定の警戒区域毎でかつ避難誘導に適した位置毎に設け各避難誘導ユニットが通信回線で接続された避難方向誘導システムであって、
前記各避難誘導ユニットは、
避難方向を示す形状に形成された当該発光体と、
火災・地震のいずれか又は双方を検出できるセンサーと、
上記センサーからの検出信号があったときに当該検出信号に基づいた点灯パターンでもって前記当該発光体を点灯し、又は、他の避難誘導ユニットからの避難指令信号を受信したときには当該避難指令信号の内容に応じた点灯パターンでもって前記当該発光体を点灯する発光体駆動手段と、
上記センサーからの検出信号があったときに避難指令信号を送出し、又は、他の避難誘導ユニットからの避難指令信号を受信手段で受信したときには当該受信した避難指令信号を再送出できる送受信手段とを備えたものであることを特徴とするものである。
【発明の効果】
【００１６】
上記請求項１記載の発明によれば、異常時のみに避難表示できるとともに無機ＥＬの表示としたので、省電力化を図れ、かつ、非常事態を明確に判別できるという利点がある。
また、上記請求項１記載の発明によれば、非常時を自己設置の検出センサーで検出し、その検出結果を基に非常事態を的確かつ非常の段階に応じた表示をして、非常事態を明確に判別させることができるほか、適切で効果的な避難誘導を行わせることができるという利点がある。
【００１７】
また、上記請求項１記載の発明によれば、非常事態のときにのみ避難方向が表示されて、火災等の非常時のみ避難誘導でき通常時と非常時の区別が明確であるほか、取付場所が限定されないという利点がある。
【００１８】
さらに、上記請求項１記載の発明によれば、小型軽量であるため、設置場所等を選ばず設置場所の自由度が高く、避難誘導を確実にできるという利点がある。
上記請求項２記載の発明では、避難誘導ユニットの設置場所等にかかわらず、同報通知が可能になる利点がある。
【００１９】
上記請求項４記載の発明では、指令送出ユニットと避難誘導ユニットという構成にこだわる必要がなく、自由に設置ができ避難誘導を確実に行うことができる利点がある。
【図面の簡単な説明】
【００２０】
【図１】本発明の第１実施形態に係る避難方向誘導システムを示すブロック図である。
【図２】本発明の第１実施形態に係る避難方向誘導システムを構成する避難誘導ユニットの外観を示し、図２（ａ）は平面図、図２（ｂ）は側面図である。
【図３】本発明の第１実施形態に係る避難方向誘導システムを構成する指令送出ユニットを示すブロック図である。
【図４】本発明の第１実施形態に係る避難方向誘導システムを構成する避難誘導ユニットを示すブロック図である。
【図５】本発明の第１実施形態に係る避難方向誘導システムに用いる信号伝達の方式を説明するために示す図である。
【図６】本発明の第１実施形態に係る避難方向誘導システムを構成する指令送出ユニットの動作を説明するためのフローチャートである。
【図７】本発明の第１実施形態に係る避難方向誘導システムを構成する避難誘導ユニットの動作を説明するためのフローチャートである。
【図８】本発明の第２の実施の形態に係る避難方向誘導システムを示すブロック図である。
【図９】本発明に係る第３実施形態に係る避難方向誘導システムを示すブロック図である。
【発明を実施するための形態】
【００２１】
以下、本発明の実施の形態を図面に基づいて説明する。
【００２２】
＜第１の実施形態＞
図１ないし図７は本発明の第１実施形態に係る避難方向誘導システムを説明するための図である。
【００２３】
＜システム全体について＞
本発明の第１実施形態に係る避難方向誘導システム１の基本構成は、図１に示すように、指令送出ユニット３ａ、３ｂと、避難誘導ユニット５ａ、５ｂ、５ｃ、
・・・、５ｎとから構成されていて、前記ユニットの間は無線回線７で接続されるように構成されている。また、この第１の実施の形態では、前記各ユニットが利用する無線回線７は、センサーネットワークを主目的とする近距離無線通信規格のジグビー信号を送受信できる回線を採用している。
【００２４】
前記指令送出ユニット３ａ、３ｂは、所定の警戒区域ＡＲａ、ＡＲｂにそれぞれ設けられている。前記指令送出ユニット３ａは、一定の警戒区域ＡＲａを監視し当該警戒区域ＡＲａ内の非常時には避難指令信号を無線回線７を介して送出できる手段を備えている。同様に、前記指令送出ユニット３ｂは、一定の警戒区域ＡＲｂを監視し当該警戒区域ＡＲｂ内の非常時には避難指令信号を無線回線７を介して送出できる手段を備えている。
【００２５】
前記指令送出ユニット３ａは、少なくとも一つの避難誘導ユニット５ａが受信可能な電界強度で避難指令信号を発する送信手段を備えている。同様に、前記指令送出ユニット３ｂは、少なくとも一つの避難誘導ユニット５ｎが受信可能な電界強度で避難指令信号を発する送信手段を備えている。
【００２６】
さらに、指令送出ユニット３ａ、３ｂについて説明するが、指令送出ユニット３ａ、３ｂは同一構成であるので、指令送出ユニット３ａを代表させて指令送出ユニット３として説明することにする。
【００２７】
前記指令送出ユニット３は、図示しないが、災害検出信号が与えられると避難指令信号を送出できるように構成されている。ここでいう災害検出信号は、例えば火災センサーからの火災信号、振動センサーからの地震検出信号であるが、中央監視制御室等からの火災信号、あるいは非常スイッチからの異常信号等も取り込めるようにしてもよい。本第１実施形態では、火災センサーや振動センサーを指令送出ユニット３内に設けることにより、通常の火災報知設備の非常設備とは別個に独自に火災等の災害を検出できるようにしている。
【００２８】
次に、避難誘導ユニット５ａ、５ｂ、５ｃ、・・・、５ｎについて説明する。
【００２９】
前記各避難誘導ユニット５ａ、５ｂ、５ｃ、・・・、５ｎは同一構成であるので、避難誘導ユニット５ａを代表させて避難誘導ユニット５として構成を説明する。
【００３０】
前記避難誘導ユニット５の基本構成は、避難方向を示す形状に形成された当該発光体５１と、前記指令送出ユニットからの避難指令信号を受信する受信手段と、前記受信手段で受信した避難指令信号に応じた点灯パターンで前記当該発光体５１を点灯する点灯駆動制御手段と、前記受信手段で受信した避難指令信号を再送出できる送信手段とを備えたものである。なお、図１において符号５１ａ、５１ｂ、５１ｃ、・・・、５１ｎは無機ＥＬ発光体を示している。
【００３１】
＜避難誘導ユニットの外観例について＞
さらに、前記避難誘導ユニット５は、図２（ａ）、図２（ｂ）に示すように、長尺角柱形状をした筐体５０と、この筐体５０の一面（表面）に設けられかつ避難方向を示す形状に形成された当該発光体５１と、前記受信手段、前記点灯駆動制御手段、前記送信手段及び電源等の回路装置５２とを備えている。前記筐体５０の前記一面の対面（裏面）には取付部が設けられている。
【００３２】
また、前記避難誘導ユニット５の筐体５０は、図２（ａ）、図２（ｂ）に示すように、表示部筐体５０ｒと、制御部筐体５０ｓとから構成されていて、図示しないコネクタで着脱できる構造としてある。
【００３３】
前記表示部筐体５０ｒは、図２（ａ）、図２（ｂ）に示すように、所定の幅Ｗ１、長さＬ１及び厚さＨ１からなる平板状直方体形状に構成されている。
【００３４】
前記表示部筐体５０ｒの表面には当該発光体５１が３枚設けられていて、図２（ａ）に示すように、図示左側から順に1枚目が図示左向き矢印形状に形成された第１矢形当該発光体５１ｘ、2枚目が四角形状に形成された角形当該発光体５１ｚ、3枚目が図示右向き矢印形状に形成された第２矢形当該発光体５１ｙの順に配置されている。この表示部筐体５０ｒの裏面には、図示しないが、建物の壁面等に固定できる取付部が設けられている。これら第１矢形当該発光体５１ｘ、角形当該発光体５１ｚ、第２矢形当該発光体５１ｙは、個別に発光できるようにそれぞれ電気的に接続されている。
【００３５】
前記制御部筐体５０ｓは、図２（ａ）、図２（ｂ）に示すように、所定の幅Ｗ１、長さＬ２及び厚さＨ２からなる直方体形状に構成されている。この制御部筐体５０ｓにおいて、その幅Ｗ１は  表示部筐体５０ｒの幅Ｗ１と同じであるが、その長さＬ２は表示部筐体５０ｒのＬ１より短く、その厚さＨ２が表示部筐体５０ｒの厚さＨ１より長い形状に形成されている。
【００３６】
よって、表示部筐体５０ｒ及び制御部筐体５０ｓがコネクタで固定されて筐体５０となると、図２（ｂ）に示すように、側面から見て、左側が薄く比較的長い平板形状をしており、右側が厚く短い形状になっている。
【００３７】
＜指令送出ユニットの回路構成について＞
次に、指令送出ユニット３の回路構成について、図３を参照して説明する。前記指令送出ユニット３は、避難指令信号を発する手段として次のように構成されている。すなわち、指令送出ユニット３は、当該装置の動作を統括制御する制御処理装置（ＭＰＵ）３１と、送信制御部３２と、送信ユニット３３と、送信アンテナ３４と、特殊振動センサー３５、特殊感熱センサー３６とを備えている。また、ＭＰＵ３１及び送信制御部３２には、電源供給部３７から電力が供給されるように構成されている。
【００３８】
ＭＰＵ３１は、図示しないが、演算処理部（ＣＰＵ）、作業メモリ（ＲＡＭ）、読出専用メモリ（ＲＯＭ）及び入出力部（Ｉ／Ｏ）を有する構成となっている。また、ＲＯＭには送信制御部３２を制御する送信プロトコルやその他必要な動作プログラムが記憶されている。
【００３９】
また、ＭＰＵ３１には、特殊振動センサー３５や特殊感熱センサー３６からの検出信号が入力されるように接続されている。ＭＰＵ３１が動作状態にあって、特殊振動センサー３５から地震に関する災害検出信号が、あるいは、特殊感熱センサー３６から火災に関する災害検出信号が入力されて災害検出信号を検出すると、当該災害検出信号が持つ災害情報に応じた避難指令信号を形成し、送信制御部３２を駆動するようになっている。送信制御部３２は、ＭＰＵ３１からの避難指令信号に基づいて送信ユニット３３を駆動するようになっている。送信ユニット３３は、避難指令信号を電磁波にして送信アンテナ３４に供給できるようになっている。
【００４０】
＜避難誘導ユニットの回路構成について＞
次に、前記避難誘導ユニット５について、図４を参照して説明する。この図４では、前記避難誘導ユニット５は、前述した膜状平面状の当該発光体５１と、回路装置５２と、スイッチ部５３とから構成されている。
【００４１】
ここで、回路装置５２は、前記避難指令信号を受信するとともに当該受信した避難指令信号を再送出できる受信送信手段５２１と、前記受信送信手段５２１で受信した避難指令信号に応じた点灯パターンをもって前記当該発光体５１を点灯制御する発光体駆動手段（ＥＬ発光パターン制御部）５２２と、前記受信送信手段５２１の受信を制御する受信制御部５２３と、前記受信送信手段５２１の送信を制御する送信制御部５２４と、受信制御部５２３及び送信制御部５２４の動作を制御する制御処理装置（ＭＰＵ）５２５と、長期耐用特殊バッテリー５２６とから構成されている。なお、受信送信手段５２１には通信用アンテナ５２６が接続されている。
【００４２】
ＭＰＵ５２５は、図示しないが、演算処理部（ＣＰＵ）、作業メモリ（ＲＡＭ）、読出専用メモリ（ＲＯＭ）及び入出力部（Ｉ／Ｏ）を有する構成となっている。また、ＲＯＭには受信制御部５２３及び送信制御部５２４の動作を制御する連結通信制御プログラムやその他必要な動作プログラムが記憶されている。
【００４３】
＜避難方向誘導システムの動作＞
＜指令送出ユニット３ａが非常事態を検出した場合の動作について＞
上述したような構成をもった避難方向誘導システムの動作を図１ないし図７を参照して説明する。
【００４４】
図５では図１と同様に、第１の実施形態に係る避難方向誘導システム１は、少なくとも二つの指令送出ユニット３ａ、３ｂと、複数の避難誘導ユニット５ａ、５ｂ、５ｃ、・・・、５ｎとから構成された状態で示されている。
【００４５】
指令送出ユニット３ａは警戒区域ＡＲａを監視し、指令送出ユニット３ａは警戒区域ＡＲａを監視しており、また、避難誘導ユニット５ａ、５ｂ、５ｃ、・・
・、５ｎは建築物内部において最適な避難経路となる通路に避難に有効な距離をおいて設置されている（図１参照）。
【００４６】
まず、指令送出ユニット３ａにおいて、特殊振動センサー３５によって地震が検出され地震に関する災害検出信号が出力されたとする。あるいは、特殊感熱センサー３６により火災が検出され火災に関する災害検出信号が出力されたとする。この検出信号がＭＰＵ３１に入力されると、ＭＰＵ３１が動作を開始する（図６のステップ（Ｓ）１０１）。
【００４７】
すると、ＭＰＵ３１は、災害検出信号を解析して当該災害検出信号が持つ災害情報に応じた避難指令信号を形成し、送信制御部３２を駆動する（図６のＳ１０２）。これにより、送信制御部３２の制御下に送信ユニット３３は、送信アンテナ３４を介して、少なくとも一つの避難誘導ユニット５ａが受信可能な強度の避難指令信号ＥＷ１を発する。
【００４８】
避難誘導ユニット５ａでは、前記避難指令信号ＥＷ１を通信用アンテナ５２６
・受信送信手段５２１を介して受信すると、受信制御部５２３を経由してＭＰＵ５２５に前記避難指令信号が与えられてＭＰＵ５２５が避難関係の動作を開始する（図７のＳ２０１）。
【００４９】
ＭＰＵ５２５は、前記避難指令信号を基に、当該発光体の発光パターン制御部５２２の動作を制御する（図７のＳ２０２）。すると、当該発光体の発光パターン制御部５２２は、その受信した避難指令信号に応じた点灯パターンをもって前記当該発光体５１を点灯制御する。
【００５０】
また、避難誘導ユニット５ａでは、前記ＭＰＵ５２５は、当該避難指令信号を基に、前記送信制御部５２４の動作を制御するとともに前記受信制御部５２３の動作を制御し（図７のＳ２０３）、前記受信送信手段５２１から通信用アンテナ５２６を介して当該避難指令信号ＥＷ２を再送出する。
【００５１】
この避難誘導ユニット５ａから再送出された避難指令信号ＥＷ２は、避難誘導ユニット５ａに隣接する避難誘導ユニット５ｂで受信される。
すると、避難誘導ユニット５ｂでも、避難誘導ユニット５ａと同様な動作が実行される。そして、避難誘導ユニット５ｂも、再び、避難指令信号ＥＷ３を再送出する。
【００５２】
避難誘導ユニット５ｂから再送出された避難指令信号ＥＷ３は、避難誘導ユニット５ｂに隣接する避難誘導ユニット５ｃに受信される。すると、避難誘導ユニット５ｃにおいても、避難誘導ユニット５ｂと同様な動作が実行される。そして、避難誘導ユニット５ｃも、再び、避難指令信号ＥＷ４を再送出する。
【００５３】
同様に、避難誘導ユニット５ｃに隣接する避難誘導ユニット５ｄ、・・・と避難指令信号が中継されてゆき、各避難誘導ユニット５ａ、５ｂ、５ｃ、・・・、５ｎに設置の各膜状平面状の当該発光体５１、５１、５１、・・・が災害内容に基づいた点灯パターンでもって点灯し、避難方向を指示し避難誘導できることになる。
【００５４】
＜指令送出ユニット３ｂが非常事態を検出した場合の動作について＞
一方、指令送出ユニット３ｂにおいて、特殊振動センサー３５によって地震が検出され地震に関する災害検出信号が出力され、あるいは、特殊感熱センサー３６により火災が検出され火災に関する災害検出信号が出力されたとする。この検出信号が指令送出ユニット３ｂのＭＰＵ３１に入力されると、そのＭＰＵ３１が動作を開始する（図６のＳ１０１）。以後、ＭＰＵ３１は一連の動作処理を実行する（図６のＳ１０２〜Ｓ１０５）。これにより、動作指令送出ユニット３ｂは、指令送出ユニット３ａと同様に動作し、避難指令信号ＥＷ１１を送出する。この避難指令信号ＥＷ１１は、避難誘導ユニット５ｎに入力されて、避難誘導ユニット５ｎにおいて、避難誘導ユニット５ａと同様に表示処理がされるとともに、避難指令信号ＥＷ１２を再送出する。以後、最終的に避難誘導ユニット５ａまで避難指令信号が受信されて、避難誘導ユニット５ｎ、・・・、５ｃ、５ｂ、５ａ上に避難方向が指示されて避難誘導を確実に行うことができる。
【００５５】
なお、当該発光体５１の発光の仕方は、図２（ａ）に示すように避難誘導ユニット５を水平に設置した場合、図示左側に避難誘導するときには第１矢形当該発光体５１ｘと角形当該発光体５１ｚを発光させる。これにより、図示左向きの矢印が表示されることになる。
【００５６】
一方、逆に、図示右側に避難誘導するときには、角形当該発光体５１ｚと第２矢形当該発光体５１ｙとを点灯させる。これにより、図示右向きの矢印が表示されることになる。
【００５７】
また、点灯パターンとしては、緊急の段階に応じて、連続点灯、一定時間間隔の点滅、前記点滅時間間隔より短い時間間隔の点滅等が採用される。
【００５８】
＜第１の実施形態の利点＞
上述した第１の実施の形態に係る避難方向誘導システムによれば、異常時のみに避難表示できるとともに当該発光体の表示としたので、省電力化を図れ、かつ、非常事態を明確に判別できるという利点がある。
【００５９】
また、第１の実施の形態に係る避難方向誘導システムによれば、非常事態のときにのみに避難方向が表示されて、火災等の非常時にのみ避難誘導でき、通常時と非常時の区別が明確であるほか、取付場所が限定されないという利点がある。
【００６０】
さらに、上述した第１の実施の形態に係る避難方向誘導システムによれば、小型軽量であるため、設置場所等を選ばず設置場所の自由度が高く、避難誘導を確実にできるという利点がある。
【００６１】
＜第２の実施の形態＞
図８は、本発明の第２の実施の形態に係る避難方向誘導システムを示すブロック図である。
【００６２】
第２の実施の形態に係る避難方向誘導システム１Ａは、第１の実施の形態の避難方向誘導システム１と次のような違いがある。
【００６３】
まず一つ目の違いは、第１の実施の形態に係る指令送出ユニット３ａが近くの避難誘導ユニット５ａで受信できる程度の電界強度で出力する点、あるいは、指令送出ユニット３ｂが近くの避難誘導ユニット５ｎで受信できる程度の電界強度で出力しているのに対して、第２の実施の形態に係る指令送出ユニット３Ａａは避難誘導ユニット５Ａａ、５Ａｂ、５Ａｃ、・・・、５Ａｎの全てで受信できる強度の電波を送出する点、あるいは、指令送出ユニット３Ａｂは避難誘導ユニット５Ａａ、５Ａｂ、５Ａｃ、・・・、５Ａｎの全てで受信できる電界強度の電波を送出する点である。
【００６４】
二つ目の違いは、第１の実施の形態に係る避難誘導ユニット５ａ、５ｂ、５ｃ、・・・、５ｎが受信した避難指令信号を中継できるようにした点に対して、第２の実施の形態に係る避難誘導ユニット５Ａａ、５Ａｂ、５Ａｃ、・・・、５Ａｎが中継機能を有しない点である。
【００６５】
このような違いにより、第２の実施の形態は、次のように構成されたものである。
【００６６】
第２の実施の形態に係る避難方向誘導システム１Ａは、一定の警戒区域ＡＲａ、ＡＲｂを監視し当該警戒区域ＡＲａ、ＡＲｂが非常時には避難指令信号を送出できる指令送出ユニット３Ａａ、３Ａｂを所定の警戒区域毎に設け、かつ、前記指令送出ユニット３Ａａ、３Ａｂからの避難指令信号を受信すると避難方向を表示する避難誘導ユニット５Ａａ、５Ａｂ、５Ａｃ、・・・、５Ａｎを有効に避難できる位置毎に設けたものである。
【００６７】
また、前記各指令送出ユニット３Ａａ、３Ａｂは全ての避難誘導ユニット５Ａａ、５Ａｂ、５Ａｃ、・・・、５Ａｎが受け取り可能な強度の避難指令信号を発する送信手段を備えている。
【００６８】
また、前記各避難誘導ユニット５Ａａ、５Ａｂ、５Ａｃ、・・・、５Ａｎは同一構成であるので、前記各避難誘導ユニット５Ａａを代表として説明する。
【００６９】
避難誘導ユニット５Ａａは、前記避難指令信号を受信する受信手段と、前記受信手段で受信した避難指令信号に応じた発光パターンで前記当該発光体を点灯制御する発光体駆動手段とから構成されている。
【００７０】
第２の実施の形態によれば、第１の実施の形態と同様な作用効果を奏する。
第２の実施の形態によれば、指令送出ユニットの送出電力が大きくなるが、避難誘導ユニットの設置場所等にかかわらず、同報通知が可能になる利点がある。
【００７１】
＜第３の実施の形態＞
第３の実施の形態が、第１の実施の形態あるいは第２の実施の形態と異なるところは、指令送出ユニット３が不要で新たに構成した避難誘導ユニット５Ｂのみでシステムを構築できる点にある。この第３の実施形態は、第１の実施の形態を大きく変形したものであって、第１の実施の形態における指令送出ユニット３の災害関係の処理機能を第１の実施の形態における各避難誘導ユニット５に内蔵させた点にある。
【００７２】
具体的には、次のような構成としたものである。避難方向誘導システム１Ｂは、一定の警戒区域を監視できるとともに避難方向を表示できる避難誘導ユニット５Ｂａ、５Ｂｂ、５Ｂｃ、・・・、５Ｂｎを一定の警戒区域毎でかつ避難誘導に適した位置毎に設け、各避難誘導ユニット５Ｂａ、５Ｂｂ、５Ｂｃ、・・・、５Ｂｎが通信回線７で接続されたものである。
【００７３】
前記各避難誘導ユニット５Ｂａ、５Ｂｂ、５Ｂｃ、・・・、５Ｂｎは同一構成であるので、避難誘導ユニット５Ｂａを代表させて説明する。
【００７４】
前記避難誘導ユニット５Ｂａは、センサー５０Ｂと、当該発光体５１Ｂと、送受信手段５２１Ｂと、発光体駆動手段５２２Ｂと、受信制御部５２３Ｂと、送信制御部５２４Ｂと、動作制御装置（ＭＰＵ）５２５Ｂと、バッテリー５２６Ｂとを備えたものである。
【００７５】
当該発光体５１Ｂは、避難方向を示す形状に形成されている。センサー５０Ｂは、火災・地震のいずれか又は双方を検出でき、その検出信号をＭＰＵ５２５Ｂに与えている。
【００７６】
上記センサー５０Ｂからの検出信号がＭＰＵ５２５Ｂに入力されたときに、ＭＰＵ５２５Ｂの制御の下に、発光パターン制御部５２２Ｂは、当該検出信号に基づいた点灯パターンでもって前記当該発光体を点灯させる
【００７７】
一方、他の避難誘導ユニット５Ｂからの避難指令信号を受信したときに、ＭＰＵ５２５Ｂの制御の下に、発光パターン制御部５２２Ｂは、当該避難指令信号の内容に応じた点灯パターンでもって前記当該発光体５１Ｂを点灯させる。
また、上記センサー５２Ｂからの検出信号をＭＰＵ５２５Ｂで検出したときに、ＭＰＵ５２５Ｂの制御下に、受信制御部５２３Ｂ及び送信制御部５２４Ｂを介して送受信手段５２１Ｂから避難指令信号を送出する。
【００７８】
一方、他の避難誘導ユニット５Ｂからの避難指令信号を送受信手段５２１Ｂで受信し、それを受信制御部５２３Ｂ及び送信制御部５２４Ｂを介してＭＰＵ５２５Ｂに入力されると、ＭＰＵ５２５Ｂの制御下に、受信制御部５２３Ｂ及び送信制御部５２４Ｂを介して送受信手段５２１Ｂから当該受信した避難指令信号を再送出する。
【００７９】
各避難誘導ユニット５Ｂａ、５Ｂｂ、５Ｂｃ、・・・、５Ｂｎは、上述したように動作することにより、次々と避難指令信号の中継と当該発光体５１Ｂを点灯できることになる。
【００８０】
この第３の実施の形態によれば、各避難誘導ユニット５Ｂは、センサーを備えかつセンサーからの信号処理を行うようにしているため、装置構成が複雑で高価になるものの、指令送出ユニット３と避難誘導ユニット５という構成にこだわる必要がなく、避難誘導ユニット５Ｂを必要に応じて設置することができ避難誘導を確実に行うことができる。
【００８１】
なお、上記各実施形態とも、当該発光体５１は平面状の膜状のもので矢印を作成することで説明したが、これに限定されることなく、例えば線状の当該発光体で矢印形状を形成させるようにしてもよい。
【符号の説明】
【００８２】
１、１Ａ、１Ｂ  避難方向誘導システム
３、３ａ、３ｂ  指令送出ユニット
５  避難誘導ユニット
５ａ、５ｂ、５ｃ、・・・、５ｎ  避難誘導ユニット
５Ａａ、５Ａｂ、５Ａｃ、・・・、５Ａｎ  避難誘導ユニット
５Ｂａ、５Ｂｂ、５Ｂｃ、・・・、５Ｂｎ  避難誘導ユニット
３１  ＭＰＵ
３２  送信制御部
３３  送信ユニット
３４  送信アンテナ
51、５１ａ、５１ｂ、５１ｃ、・・・、５１ｎ  無機ＥＬ発光体や同種の平面発光体を点灯制御して避難誘導を可能にした平面発光体
【図１】
2018101178.tif 000003
【図２】
2018101178.tif 000004
【図３】
2018101178.tif 000005
【図４】
2018101178.tif 000006
【図５】
2018101178.tif 000007
【図６】
2018101178.tif 000008
【図７】
2018101178.tif 000009
【図８】
2018101178.tif 000010
【図９】
2018101178.tif 000011